(57)【特許請求の範囲】
【請求項１】
ユーザが装着可能なウェアラブルカメラと、前記ユーザが乗車する車両に搭載された車載レコーダと、前記車両に搭載された車載カメラと、を備えるウェアラブルカメラシステムであって、
前記車載カメラは、映像を撮像する第１の撮像部を備え、
前記車載レコーダは、
通信相手としてのウェアラブルカメラとの間で通信する第１の通信部と、
前記車載カメラにより撮像された第１の映像データを録画する第１の録画部と、を備え、
前記ウェアラブルカメラは、
映像を撮像する第２の撮像部と、
通信相手としての車載レコーダとの間で通信する第２の通信部と、
前記第２の撮像部により撮像された第２の映像データを録画する第２の録画部と、を備え、
前記車載レコーダは、前記第１の録画部による前記第１の映像データの録画を開始させるとともに、前記第１の録画部が録画を開始した旨を含む録画開始情報を、前記第１の通信部により前記ウェアラブルカメラへ送信し、
前記ウェアラブルカメラは、前記録画開始情報の受信に連携して前記第２の録画部に録画を開始させる、
ウェアラブルカメラシステム。
【請求項２】
請求項１に記載のウェアラブルカメラシステムであって、
前記車載レコーダは、前記第１の録画部による前記第１の映像データの録画を停止させるとともに、前記第１の録画部が前記録画を停止した旨を含む録画停止情報を、前記第１の通信部により前記ウェアラブルカメラへ送信し、
前記ウェアラブルカメラは、前記録画停止情報の受信に連携して前記第２の録画部に録画を停止させる、
ウェアラブルカメラシステム。
【請求項３】
ユーザが装着可能なウェアラブルカメラと、前記ユーザが乗車する車両に搭載された車載レコーダと、前記車両に搭載された車載カメラと、を備えるウェアラブルカメラシステムであって、
前記車載カメラは、映像を撮像する第１の撮像部を備え、
前記車載レコーダは、
通信相手としてのウェアラブルカメラとの間で通信する第１の通信部と、
前記車載カメラにより撮像された第１の映像データを録画する第１の録画部と、を備え、
前記ウェアラブルカメラは、
映像を撮像する第２の撮像部と、
通信相手としての車載レコーダとの間で通信する第２の通信部と、
前記第２の撮像部により撮像された第２の映像データを録画する第２の録画部と、を備え、
前記ウェアラブルカメラは、前記第２の録画部による前記第２の映像データの録画を開始させるとともに、前記第２の録画部が録画を開始した旨を含む録画開始情報を、前記第２の通信部により前記車載レコーダへ送信し、
前記車載レコーダは、前記録画開始情報の受信に連携して前記第１の録画部に録画を開始させる、
ウェアラブルカメラシステム。
【請求項４】
請求項３に記載のウェアラブルカメラシステムであって、
前記ウェアラブルカメラは、前記第２の録画部による前記第２の映像データの録画を停止させるとともに、前記第２の録画部が前記録画を停止した旨を含む録画停止情報を、前記第２の通信部により前記車載レコーダへ送信し、
前記車載レコーダは、前記録画停止情報の受信に連携して前記第１の録画部に録画を停止させる、
ウェアラブルカメラシステム。
【請求項５】
請求項１または３に記載のウェアラブルカメラシステムであって、
前記ウェアラブルカメラは、
前記第２の映像データに関連する情報の付与操作を受け付ける操作部と、
前記付与操作が受け付けられた場合、前記第２の映像データに対応付けて、前記第２の映像データの録画開始の要因を示す要因情報を記憶する記憶部と、
前記録画開始情報に基づいて前記第２の映像データの録画を開始した場合、前記車載レコーダと連動して録画を開始した旨を示す連動情報を前記要因情報に格納する制御部と、
を備えるウェアラブルカメラシステム。
【請求項６】
ユーザが装着可能なウェアラブルカメラと、前記ユーザが乗車する車両に搭載された車載レコーダと、前記車両に搭載された車載カメラと、を備えるウェアラブルカメラシステムにおける録画制御方法であって、
前記車載カメラは、映像を撮像し、
前記車載レコーダは、前記車載カメラにより撮像された第１の映像データを録画し、
前記ウェアラブルカメラは、映像を撮像し、撮像された第２の映像データを録画し、
前記第１の映像データ及び前記第２の映像データの録画において、
前記車載レコーダは、前記第１の映像データの録画を開始するとともに、録画を開始した旨を含む録画開始情報を、前記ウェアラブルカメラへ送信し、
前記ウェアラブルカメラは、前記録画開始情報の受信に連携して前記第２の映像データの録画を開始する、
録画制御方法。
【請求項７】
ユーザが装着可能なウェアラブルカメラと、前記ユーザが乗車する車両に搭載された車載レコーダと、前記車両に搭載された車載カメラと、を備えるウェアラブルカメラシステムにおける録画制御方法であって、
前記車載カメラは、映像を撮像し、
前記車載レコーダは、前記車載カメラにより撮像された第１の映像データを録画し、
前記ウェアラブルカメラは、映像を撮像し、撮像された第２の映像データを録画し、
前記第１の映像データ及び前記第２の映像データの録画において、
前記ウェアラブルカメラは、前記第２の映像データの録画を開始するとともに、録画を開始した旨を含む録画開始情報を、前記車載レコーダへ送信し、
前記車載レコーダは、前記録画開始情報の受信に連携して前記第１の映像データの録画を開始する、
録画制御方法。
【発明の詳細な説明】
【技術分野】
【０００１】
本発明は、ウェアラブルカメラシステム及び録画制御方法に関する。例えば、人の体又は着用した衣服等に装着可能な撮像装置を有するウェアラブルカメラシステム及び録画制御方法に関する。
【背景技術】
【０００２】
近年、例えば警察官や警備員の業務を支援するために、警察官や警備員に装着されて使用されるウェアラブルカメラの導入が検討されている。
【０００３】
ウェアラブルカメラを用いた従来例として、例えば特許文献１に記載されたウェアラブル監視カメラシステムがある。このウェアラブル監視カメラシステムは、身体に装着するＣＣＤカメラ手段及びマイク手段からの映像信号及び音声信号、並びに内蔵のクロック手段からの日時情報信号を、体に装着するポーチ手段に収納するエンコードサーバー手段によりエンコードし、また文字情報に変換した日時情報を撮像した映像にスーパーインポーズして記録可能な構成を有している。
【先行技術文献】
【特許文献】
【０００４】
【特許文献１】特開２００６−１４８８４２号公報
【発明の概要】
【発明が解決しようとする課題】
【０００５】
特許文献１のシステムでは、例えばウェアラブルカメラを警察官や警備員が装着して使用する場合、警察官や警備員が録画ボタンを押下することで、映像データ（映像信号）の録画を開始することが想定される。
【０００６】
しかし、警察官や警備員が緊急対応する際には、録画開始操作をすることができない可能性があり、後の事件検証のために重要なシーンが録画されない状態（録画漏れ）が起こり得る。また、録画開始操作をすることに気をとられることで、警察官や警備員の注意力が低下する可能性がある。また、パトカー等に車載カメラが搭載され、録画可能である場合においても、同様に、録画開始操作をすることができず、録画漏れが起こり得る。
【０００７】
本発明は、上記事情に鑑みてなされたものであり、ウェアラブルカメラや車載カメラにより撮像した映像データを取扱う上での利便性を向上でき、映像データの録画漏れを低減できるウェアラブルカメラシステム及び録画制御方法を提供する。
【課題を解決するための手段】
【０００８】
本発明のウェアラブルカメラシステムは、ユーザが装着可能なウェアラブルカメラと、前記ユーザが乗車する車両に搭載された車載レコーダと、前記車両に搭載された車載カメラと、を備えるウェアラブルカメラシステムであって、前記車載カメラは、映像を撮像する第１の撮像部を備え、前記車載レコーダは、通信相手としてのウェアラブルカメラとの間で通信する第１の通信部と、前記車載カメラにより撮像された第１の映像データを録画する第１の録画部と、を備え、前記ウェアラブルカメラは、映像を撮像する第２の撮像部と、通信相手としての車載レコーダとの間で通信する第２の通信部と、前記第２の撮像部により撮像された第２の映像データを録画する第２の録画部と、を備え、前記車載レコーダは、前記第１の録画部による前記第１の映像データの録画を開始させるとともに、前記第１の録画部が録画を開始した旨を含む録画開始情報を、前記第１の通信部により前記ウェアラブルカメラへ送信し、前記ウェアラブルカメラは、前記録画開始情報の受信に連携して前記第２の録画部に録画を開始させる。また、本発明のウェアラブルカメラシステムは、ユーザが装着可能なウェアラブルカメラと、前記ユーザが乗車する車両に搭載された車載レコーダと、前記車両に搭載された車載カメラと、を備えるウェアラブルカメラシステムであって、前記車載カメラは、映像を撮像する第１の撮像部を備え、前記車載レコーダは、通信相手としてのウェアラブルカメラとの間で通信する第１の通信部と、前記車載カメラにより撮像された第１の映像データを録画する第１の録画部と、を備え、前記ウェアラブルカメラは、映像を撮像する第２の撮像部と、通信相手としての車載レコーダとの間で通信する第２の通信部と、前記第２の撮像部により撮像された第２の映像データを録画する第２の録画部と、を備え、前記ウェアラブルカメラは、前記第２の録画部による前記第２の映像データの録画を開始させるとともに、前記第２の録画部が録画を開始した旨を含む録画開始情報を、前記第２の通信部により前記車載レコーダへ送信し、前記車載レコーダは、前記録画開始情報の受信に連携して前記第１の録画部に録画を開始させる。
【０００９】
本発明の録画制御方法は、ユーザが装着可能なウェアラブルカメラと、前記ユーザが乗車する車両に搭載された車載レコーダと、前記車両に搭載された車載カメラと、を備えるウェアラブルカメラシステムにおける録画制御方法であって、前記車載カメラは、映像を撮像し、前記車載レコーダは、前記車載カメラにより撮像された第１の映像データを録画し、前記ウェアラブルカメラは、映像を撮像し、撮像された第２の映像データを録画し、前記第１の映像データ及び前記第２の映像データの録画において、前記車載レコーダは、前記第１の映像データの録画を開始するとともに、録画を開始した旨を含む録画開始情報を、前記ウェアラブルカメラへ送信し、前記ウェアラブルカメラは、前記録画開始情報の受信に連携して前記第２の映像データの録画を開始する。また、本発明の録画制御方法は、ユーザが装着可能なウェアラブルカメラと、前記ユーザが乗車する車両に搭載された車載レコーダと、前記車両に搭載された車載カメラと、を備えるウェアラブルカメラシステムにおける録画制御方法であって、前記車載カメラは、映像を撮像し、前記車載レコーダは、前記車載カメラにより撮像された第１の映像データを録画し、前記ウェアラブルカメラは、映像を撮像し、撮像された第２の映像データを録画し、前記第１の映像データ及び前記第２の映像データの録画において、前記ウェアラブルカメラは、前記第２の映像データの録画を開始するとともに、録画を開始した旨を含む録画開始情報を、前記車載レコーダへ送信し、前記車載レコーダは、前記録画開始情報の受信に連携して前記第１の映像データの録画を開始する。
【発明の効果】
【００１０】
本発明によれば、ウェアラブルカメラや車載カメラにより撮像した映像データを取扱う上での利便性を向上でき、映像データの録画漏れを低減できる。
【図面の簡単な説明】
【００１１】
【図１】実施形態に係るウェアラブルカメラシステムの概要とウェアラブルカメラにより撮像した映像データの使用に関する説明図
【図２】実施形態における警察官がパトカーに乗車して現場へ向かうイメージを示した模式図
【図３】実施形態に係るウェアラブルカメラの内部構成の一例を示すブロック図
【図４】実施形態に係るウェアラブルカメラをユーザが装着した状態を示す図
【図５】実施形態に係るウェアラブルカメラの外観の一例を示す正面図
【図６】実施形態に係るウェアラブルカメラの外観の一例を示す左側面図
【図７】実施形態に係るウェアラブルカメラの外観の一例を示す右側面図
【図８】実施形態に係る車載レコーダの内部構成の一例を示すブロック図
【図９】実施形態に係る車載ＰＣの内部構成の一例を示すブロック図
【図１０】実施形態に係る属性情報の設定の一例を示す模式図
【図１１】実施形態に係る録画データのデータ構造の一例を示す模式図
【図１２】実施形態に係るウェアラブルカメラが保持する録画映像リストのデータ構造の一例を示す模式図
【図１３】実施形態に係る車載レコーダが保持する録画映像リストのデータ構造の一例を示す模式図
【図１４】実施形態に係るウェアラブルカメラが車載システム連動により録画開始する場合のウェアラブルカメラシステムの動作例を示すシーケンス図
【図１５】実施形態に係る車載システムがウェアラブルカメラ（ＷＣＡＭ）連動により録画開始する場合のウェアラブルカメラシステムの動作例を示すシーケンス図
【図１６】本実施形態に係るウェアラブルカメラによる属性情報付与動作に関する手順の一例を示すフローチャート
【発明を実施するための形態】
【００１２】
以下、本発明の実施形態について、図面を用いて説明する。
【００１３】
図１は、本実施形態に係るウェアラブルカメラシステム１００の概要とウェアラブルカメラ１０により撮像した映像データの使用に関する説明図である。図２は、警察官７がパトカー６に乗車して現場８へ向かうイメージを示した模式図である。
【００１４】
本実施形態のウェアラブルカメラ１０は、ユーザ（例えば警察官（Ｏｆｆｉｃｅｒ）７、警備員）が体又は着用した衣服等に装着可能な撮像装置である。ウェアラブルカメラ１０は、車に搭載した車載システム６０、ユーザ組織内のサーバ（バックエンドサーバ）ＳＶ１，ＳＶ２，ＳＶ３等との間で通信する通信機能を有する。
【００１５】
ウェアラブルカメラシステム１００において、ウェアラブルカメラ１０、車載システム６０がフロントエンドシステム１００Ａを構成し、ネットワーク上の管理ソフトウェア７０、警察署５内のＰＣである署内ＰＣ７１、サーバＳＶ１，ＳＶ２，ＳＶ３がバックエンドシステム１００Ｂを構成する。管理ソフトウェア７０は、例えば署内ＰＣ７１又はサーバＳＶ１〜ＳＶ３により実行される。
【００１６】
ウェアラブルカメラシステム１００の一例として、警察署５において使用される場合を想定して説明する。この場合、警察官７がウェアラブルカメラ１０を使用して撮像し、例えば警察署５内のバックエンドシステム１００Ｂに撮像した映像データを転送して蓄積する。なお、ウェアラブルカメラ１０は、ユーザが警察官７に限定されず、その他様々な事業所（例えば、警備会社）において使用されてもよい。本実施形態では、ユーザとして警察官７を主に例示する。
【００１７】
フロントエンドシステム１００Ａは、現場８の最前線に出動する警察官７が装着可能なウェアラブルカメラ１０と、パトカー６内に設置された車載システム６０と、を含む。
【００１８】
車載システム６０は、車載カメラ６１、車載レコーダ６２、車載ＰＣ６３、通信ユニット等を有し、車載カメラシステム、映像管理システム等を構成する（図２参照）。
【００１９】
車載カメラ６１は、パトカー６の所定位置に設置され、パトカー６の周囲を常時又は所定のタイミングで映像を撮像する撮像部（不図示）を備える。車載カメラ６１は、例えばパトカー６の前方を撮像するためのフロント用カメラ（不図示）、パトカー６内のバックシート（例えば容疑者を座らせているシート）を撮像するためのバックシート用カメラ（不図示）と、を含む。車載カメラ６１により撮像された映像データは、例えば録画されると、車載レコーダ６２にて蓄積される。車載カメラ６１は、複数台設けられてもよい。
【００２０】
尚、フロント用カメラやバックシート用カメラには、パトカー６の車内外の音を収音するマイク（不図示）を備え付けられてもよい。この場合、パトカー６内の警察官７又は容疑者の発する音声も収音（録音）可能である。
【００２１】
車載レコーダ６２は、車載カメラ６１により撮像された映像データを蓄積する。また、車載レコーダ６２は、車載カメラ６１により撮像された映像データに対して属性情報などのメタ情報を付与し、管理してもよい。
【００２２】
車載レコーダ６２は、ウェアラブルカメラ１０により撮像された映像データを取得し、蓄積してもよい。取得され、又は蓄積される映像データには、属性情報などのメタ情報が付与されていてもよい。
【００２３】
車載ＰＣ６３は、パトカー６内に固定的に搭載されるＰＣでもよいし、パトカー６外にも携帯可能なＰＣ、スマートフォン、携帯電話機、タブレット端末、ＰＤＡ（Ｐｅｒｓｏｎａｌ  Ｄｉｇｉｔａｌ  Ａｓｓｉｓｔａｎｔ）等の無線通信装置であってもよい。
【００２４】
車載ＰＣ６３は、図示しない管理ソフトウェアを実行することで、車載システム６０とウェアラブルカメラ１０との連携を可能にする。また、車載ＰＣ６３のＵＩ（Ｕｓｅｒ  Ｉｎｔｅｒｆａｃｅ）（例えば、操作部、表示部、音声出力部）は、車載レコーダ６２を操作するためのＵＩとしても用いられる。
【００２５】
警察官７は、所定の用件（例えばパトロール）で警察署５から出動する際、例えば、ウェアラブルカメラ１０を装着し、車載システム６０を搭載したパトカー６に乗車して現場８に向かう（図２参照）。
【００２６】
フロントエンドシステム１００Ａにおいて、例えば、パトカー６が到着した現場８の映像を車載システム６０の車載カメラ６１により撮像し、警察官７がパトカー６から降車して現場８のより詳細な映像をウェアラブルカメラ１０により撮像する。
【００２７】
ウェアラブルカメラ１０が撮像した動画又は静止画の映像データは、例えば、ウェアラブルカメラ１０のメモリ、車載システム６０の車載レコーダ６２又は車載ＰＣ６３のメモリに保存される。
【００２８】
ウェアラブルカメラ１０は、ウェアラブルカメラ１０のメモリ等から、ウェアラブルカメラ１０により撮像された映像データを含む各種データを、バックエンドシステム１００Ｂに転送（アップロード）する。
【００２９】
車載システム６０（例えば車載レコーダ６２）は、車載システム６０のメモリ等から、車載カメラ６１により撮像された映像データを含む各種データを、バックエンドシステム１００Ｂに転送（アップロード）する。
【００３０】
バックエンドシステム１００Ｂへのデータ転送は、例えば、現場８から無線通信により接続して行うか、或いは、パトロールが終了して警察署５に戻った際に、有線通信、無線通信、又は手動（例えば記憶媒体の持ち運び）により行う。
【００３１】
バックエンドシステム１００Ｂは、警察署５内又は他の場所に設置されたサーバＳＶ１〜ＳＶ３と、フロントエンドシステム１００Ａと通信するための管理ソフトウェア７０と、署内ＰＣ７１と、を含む。
【００３２】
サーバＳＶ１〜ＳＶ３は、サーバＳＶ１〜ＳＶ３の内部又は外部にＨＤＤ（Ｈａｒｄ  Ｄｉｓｋ  Ｄｒｉｖｅ）、ＳＳＤ（Ｓｏｌｉｄ  Ｓｔａｔｅ  Ｄｒｉｖｅ）等によるストレージを備える。サーバＳＶ１〜ＳＶ３は、フロントエンドシステム１００Ａから転送された映像データ及び他のデータを、サーバＳＶ１〜ＳＶ３に蓄積する。サーバＳＶ１〜ＳＶ３は、例えば、ウェアラブルカメラ１０又は車載システム６０（例えば車載レコーダ６２）から転送された映像データを受信し、ＨＤＤ等のストレージに保存する。
【００３３】
バックエンドシステム１００Ｂに蓄積された映像データは、例えば警察署５内の関係部署の担当者により事件の操作・検証等に利用され、必要に応じて、所定の記憶媒体（例えばＤＶＤ：Ｄｉｇｉｔａｌ  Ｖｅｒｓａｔｉｌｅ  Ｄｉｓｋ）に映像データがコピーされて、所定のシーン（例えば裁判）において証拠品として提出される。本実施形態では、警察官７が装着したウェアラブルカメラ１０を用いて、現場８の証拠映像をより的確に取得及び保存することが可能になっている。
【００３４】
警察官７が警察署５から現場８へ出動し、ウェアラブルカメラ１０を用いる際には、警察官７の識別情報（例えばＯｆｆｉｃｅｒ  ＩＤ）、警察官が使用するウェアラブルカメラ１０の識別情報（例えばＣａｍｅｒａ  ＩＤ）、警察官７が使用するパトカー６の識別情報（例えばＣａｒ  ＩＤ）等を、署内ＰＣ７１等を用いて設定登録する。これにより、サーバＳＶ１〜ＳＶ３に蓄積された映像データについて、いつ、どの警察官がどのカメラを用いて撮像した映像であるかを明確に区別できる。
【００３５】
警察官７やウェアラブルカメラ１０の設定登録は、例えば、警察署５内の担当者や出動する警察官７が署内ＰＣ７１の操作部（不図示）を操作し、署内ＰＣ７１が管理ソフトウェア７０を実行することで行われる。この設定登録では、上記Ｏｆｆｉｃｅｒ  ＩＤ、Ｃａｍｅｒａ  ＩＤ、Ｃａｒ  ＩＤ以外の情報が署内ＰＣ７１の操作部を介して入力されてもよい。
【００３６】
つまり、管理ソフトウェア７０は、例えば、警察官７の人員を管理するためのアプリケーション、パトカー６等の配車を管理するためのアプリケーション、ウェアラブルカメラ１０の持ち出しを管理するためのアプリケーション、を含む。また、管理ソフトウェア７０は、例えば、サーバＳＶ１〜ＳＶ３に蓄積された複数の映像データから、属性情報に基づいて特定の映像データを検索し、抽出するためのアプリケーションを含む。
【００３７】
また、警察官７がパトカー６へ乗車した際には、車載システム６０に対して警察官７がログイン可能である。このログインの際には、例えば、車載ＰＣ６３の操作部を操作して、警察署５内での設定登録と同様に、Ｏｆｆｉｃｅｒ  ＩＤ、Ｃａｍｅｒａ  ＩＤ、その他の情報を入力する。入力されたＯｆｆｉｃｅｒ  ＩＤ、Ｃａｍｅｒａ  ＩＤ、その他の情報は、例えば、車載レコーダ６２に保持される。
【００３８】
車載システム６０に対して警察官７がログインすると、警察官７が車載システム６０を使用することが許可される。車載システム６０と警察官７が所持するウェアラブルカメラ１０との連携も、ログインした後に可能となってもよい。例えば、ウェアラブルカメラ１０が撮像した映像データを車載システム６０（例えば車載レコーダ６２）へ送信して、警察官７が車載ＰＣ６３により確認でき、車載システム６０（例えば車載レコーダ６２）がウェアラブルカメラ１０へ各種設定を指示できる。
【００３９】
図３は、ウェアラブルカメラ１０の内部構成の一例を示すブロック図である。図４は、ウェアラブルカメラ１０を警察官７が装着した状態を示す模式図である。図５は、ウェアラブルカメラ１０の外観の一例を示す正面図である。図６は、ウェアラブルカメラ１０の外観の一例を示す左側面図である。図７は、ウェアラブルカメラ１０の外観の一例を示す右側面図である。
【００４０】
図３に示すように、ウェアラブルカメラ１０は、撮像部１１と、ＧＰＩＯ１２（Ｇｅｎｅｒａｌ  Ｐｕｒｐｏｓｅ  Ｉｎｐｕｔ／Ｏｕｔｐｕｔ）と、ＲＡＭ（Ｒａｎｄｏｍ  Ａｃｃｅｓｓ  Ｍｅｍｏｒｙ）１３と、ＲＯＭ（Ｒｅａｄ  Ｏｎｌｙ  Ｍｅｍｏｒｙ）１４と、記憶部１５と、を備える。ウェアラブルカメラ１０は、ＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）１６と、ＲＴＣ（Ｒｅａｌ  Ｔｉｍｅ  Ｃｌｏｃｋ）１７と、ＧＰＳ（Ｇｌｏｂａｌ  Ｐｏｓｉｔｉｏｎｉｎｇ  Ｓｙｓｔｅｍ）１８と、を備える。ウェアラブルカメラ１０は、ＭＣＵ（Ｍｉｃｒｏ  Ｃｏｎｔｒｏｌｌｅｒ  Ｕｎｉｔ）１９と、通信部２１と、ＵＳＢ（Ｕｎｉｖｅｒｓａｌ  Ｓｅｒｉａｌ  Ｂｕｓ）２２と、コンタクトターミナル２３と、電源部２４と、バッテリ２５と、を備える。
【００４１】
ウェアラブルカメラ１０は、操作入力部の一例として、録画スイッチＳＷ１と、スナップショットスイッチＳＷ２と、属性情報付与スイッチＳＷ３と、属性選択スイッチＳＷ４と、通信モードスイッチＳＷ５と、インジケータスイッチＳＷ６と、を備える。
【００４２】
ウェアラブルカメラ１０は、状態表示部の一例として、ＬＥＤ（Ｌｉｇｈｔ  Ｅｍｉｔｔｉｎｇ  Ｄｉｏｄｅ）２６ａ，２６ｂ，２６ｃと、バイブレータ２７と、を備える。
【００４３】
撮像部１１は、例えば、撮像レンズ１１ａ（図５参照）と、ＣＣＤ（Ｃｈａｒｇｅ  Ｃｏｕｐｌｅｄ  Ｄｅｖｉｃｅ）型イメージセンサ又はＣＭＯＳ（Ｃｏｍｐｌｅｍｅｎｔａｒｙ Ｍｅｔａｌ  Ｏｘｉｄｅ  Ｓｅｍｉｃｏｎｄｕｃｔｏｒ）型イメージセンサ等による固体撮像素子と、を有する。撮像部１１は、撮像により得られた被写体の映像データをＭＣＵ１９に出力する。
【００４４】
ＧＰＩＯ１２は、パラレルインタフェースであり、録画スイッチＳＷ１、スナップショットスイッチＳＷ２、属性情報付与スイッチＳＷ３、属性選択スイッチＳＷ４、通信モードスイッチＳＷ５、インジケータスイッチＳＷ６、ＬＥＤ２６ａ〜２６ｃ及びバイブレータ２７と、ＭＣＵ１９との間で信号を入出力する。また、ＧＰＩＯ１２には、例えば、各種センサ（例えば加速度センサ）が接続される。
【００４５】
ＲＡＭ１３は、例えば、ＭＣＵ１９の動作において使用されるワークメモリである。ＲＯＭ１４は、例えば、ＭＣＵ１９を制御するためのプログラム及びデータを予め記憶するメモリである。
【００４６】
記憶部１５は、例えば、ＳＤメモリ等の記憶媒体により構成され、撮像部１１にて撮像して得られた映像データを記憶する。記憶部１５としてＳＤメモリを用いる場合、ウェアラブルカメラ１０の筐体本体に対して取付け及び取外しが可能である。
【００４７】
ＥＥＰＲＯＭ１６は、例えば、ウェアラブルカメラ１０を識別する識別情報（例えばＣａｍｅｒａ  ＩＤとしてのシリアル番号）、及び他の設定情報を記憶する。他の設定情報は、例えば、署内ＰＣ７１での設定登録や車載レコーダ６２へログインすることにより得られるログイン情報（例えばＣａｒ  ＩＤ、Ｏｆｆｉｃｅｒ  ＩＤ）、属性選択スイッチＳＷ４の状態と属性情報との対応を示す対応情報、を含む。
【００４８】
ＲＴＣ１７は、現在の時刻情報をカウントしてＭＣＵ１９に出力する。
【００４９】
ＧＰＳ１８は、現在のウェアラブルカメラ１０の位置情報および時刻情報をＧＰＳ発信機（不図示）から受信して、ＭＣＵ１９に出力する。時刻情報は、ウェアラブルカメラのシステム時刻の補正のために使用される。
【００５０】
ＭＣＵ１９は、制御部としての機能を有し、例えば、ウェアラブルカメラ１０の各部の動作を全体的に統括するための制御処理、ウェアラブルカメラ１０の各部との間のデータの入出力処理、データの演算（計算）処理及びデータの記憶処理を行い、ＲＯＭ１４に記憶されたプログラム及びデータに従って動作する。ＭＣＵ１９は、動作時には、例えば、ＲＡＭ１３を使用し、ＲＴＣ１７より現在の時刻情報を得て、ＧＰＳ１８より現在の位置情報を得る。
【００５１】
通信部２１は、例えばＯＳＩ（Ｏｐｅｎ  Ｓｙｓｔｅｍｓ  Ｉｎｔｅｒｃｏｎｎｅｃｔｉｏｎ）参照モデルの第１層である物理層において、通信部２１とＭＣＵ１９との接続を規定する。通信部２１は、この規定に従って、例えば、無線ＬＡＮ（Ｗ−ＬＡＮ）による無線通信（例えばＷｉ−ｆｉ（登録商標））を行う。通信部２１は、近距離無線通信（ＮＦＣ：Ｎｅａｒ  Ｆｉｅｌｄ  Ｃｏｍｍｕｎｉｃａｔｉｏｎ）、Ｂｌｕｅｔｏｏｔｈ（登録商標）等の無線通信を行ってもよい。
【００５２】
ＵＳＢ２２は、シリアルバスであり、例えば、車載システム６０、又は警察署５内の署内ＰＣ７１との接続を可能とする。
【００５３】
コンタクトターミナル２３は、クレードル（不図示）又は外付けアダプタ（不図示）等と電気的に接続するための端子であり、ＵＳＢ２２を介してＭＣＵ１９に接続され、電源部２４と接続される。コンタクトターミナル２３を介して、ウェアラブルカメラ１０の充電、及び映像データを含むデータの通信が可能となっている。
【００５４】
コンタクトターミナル２３には、例えば、「充電端子Ｖ＋」、「ＣＯＮ．ＤＥＴ端子」、「データ端子Ｄ−，Ｄ＋」及び「グランド端子」（いずれも図示省略）が設けられる。ＣＯＮ．ＤＥＴ端子は、電圧および電圧変化を検出するための端子である。データ端子Ｄ−，Ｄ＋は、例えばＵＳＢコネクタ端子を介して、外部ＰＣ等に対してウェアラブルカメラ１０で撮像した映像データ等を転送するための端子である。
【００５５】
コンタクトターミナル２３とクレードル（不図示）又は外付けアダプタ（不図示）のコネクタとが接続されることにより、ウェアラブルカメラ１０と外部機器との間でデータ通信が可能となる。
【００５６】
電源部２４は、例えば、コンタクトターミナル２３を介してクレードル又は外付けアダプタより供給される電源電力をバッテリ２５に給電して、バッテリ２５を充電する。バッテリ２５は、例えば、充電可能な２次電池により構成され、ウェアラブルカメラ１０の各部に電源電力を供給する。
【００５７】
録画スイッチＳＷ１は、例えば、警察官７の押下操作による録画（動画の撮像）の開始／停止の操作指示を入力する押しボタンスイッチである。
【００５８】
スナップショットスイッチＳＷ２は、例えば、警察官７の押下操作による静止画の撮像の操作指示を入力する押しボタンスイッチである。
【００５９】
属性情報付与スイッチＳＷ３は、例えば、警察官７の押下操作による、映像データに属性情報を付与するための操作指示を入力する押しボタンスイッチである。
【００６０】
属性選択スイッチＳＷ４は、例えば、映像データに付与する属性を選択するための操作指示を入力するスライドスイッチである。
【００６１】
通信モードスイッチＳＷ５は、例えば、ウェアラブルカメラ１０と外部機器との間の通信モードを設定するための操作指示を入力するスライドスイッチである。
【００６２】
インジケータスイッチＳＷ６は、例えば、ＬＥＤ２６ａ〜２６ｃ及びバイブレータ２７による動作状態表示モードを設定するための操作指示を入力するスライドスイッチである。
【００６３】
録画スイッチＳＷ１、スナップショットスイッチＳＷ２、属性情報付与スイッチＳＷ３、及び属性選択スイッチＳＷ４は、緊急時においても容易に操作が可能に構成される。なお、各スイッチＳＷ１〜ＳＷ６は、上記の形態に限定されず、ユーザによる操作指示の入力が可能な他の形態の操作入力デバイスでもよい。
【００６４】
ＬＥＤ２６ａは、例えば、ウェアラブルカメラ１０の電源投入状態（オンオフ状態）及びバッテリ２５の状態を示す表示部である。
【００６５】
ＬＥＤ２６ｂは、例えば、ウェアラブルカメラ１０の撮像動作の状態（録画状態）を示す表示部である。
【００６６】
ＬＥＤ２６ｃは、例えば、ウェアラブルカメラ１０の通信モードの状態を示す表示部である。
【００６７】
ＭＣＵ１９は、録画スイッチＳＷ１、スナップショットスイッチＳＷ２、属性情報付与スイッチＳＷ３、属性選択スイッチＳＷ４、通信モードスイッチＳＷ５、インジケータスイッチＳＷ６の各スイッチの入力検出を行い、操作があったスイッチ入力に対する処理を行う。
【００６８】
ＭＣＵ１９は、録画スイッチＳＷ１の操作入力を検出した場合、撮像部１１における撮像動作の開始又は停止を制御し、撮像部１１から得られた映像データを、動画像の映像データとして記憶部１５に保存する。
【００６９】
ＭＣＵ１９は、スナップショットスイッチＳＷ２の操作入力を検出した場合、スナップショットスイッチＳＷ２が操作されたときの撮像部１１による映像データを、静止画の映像データとして記憶部１５に保存する。
【００７０】
ＭＣＵ１９は、属性情報付与スイッチＳＷ３の操作入力を検出した場合、予め設定された属性情報を映像データに付与し、映像データと対応付けて記憶部１５に保存する。この際、属性選択スイッチＳＷ４の状態と所定の属性情報との対応関係を示す対応情報をＥＥＰＲＯＭ１６に保持しておき、ＭＣＵ１９は、属性選択スイッチＳＷ４の状態を検出し、属性選択スイッチＳＷ４の設定に応じた属性情報を付与する。
【００７１】
ＭＣＵ１９は、通信モードスイッチＳＷ５の状態を検出し、通信モードスイッチＳＷ５の設定に応じた通信モードによって通信部２１を動作させる。
【００７２】
ＭＣＵ１９は、録画動作を開始した場合、インジケータスイッチＳＷ６の状態を検出し、インジケータスイッチＳＷ６の設定に応じて、ＬＥＤ表示及び／又はバイブレータ振動によって録画動作の状態を外部に示す報知を行う。
【００７３】
図４に示すように、ウェアラブルカメラ１０は、例えば、警察官７の胸部など、警察官７の視点に近い位置からの視野の映像を撮像するように、警察官７が着用した衣服又は体に装着して使用される。警察官７は、ウェアラブルカメラ１０を装着した状態で、録画スイッチＳＷ１を操作して周囲の被写体の撮像を行う。
【００７４】
図５に示すように、ウェアラブルカメラ１０では、例えば、略直方体状の筐体１０Ａの正面に、撮像部１１の撮像レンズ１１ａ、録画スイッチＳＷ１、スナップショットスイッチＳＷ２が設けられる。
【００７５】
録画スイッチＳＷ１は、例えば、奇数回押下されることで録画（動画の撮像）が開始され、偶数回押下されることで録画が終了する。
【００７６】
スナップショットスイッチＳＷ２は、例えば、押下される度に、押下時の静止画の撮像が実行される。
【００７７】
図６に示すように、ウェアラブルカメラ１０の筐体１０Ａの正面から見て左側面には、属性情報付与スイッチＳＷ３、属性選択スイッチＳＷ４、ＵＳＢコネクタ２２ａが設けられる。警察官７が属性情報付与スイッチＳＷ３を押下操作することにより、現在録画中の映像データ又は直前に録画した映像データに対して、属性選択スイッチＳＷ４の設定状態に応じた属性情報が付与される。
【００７８】
属性選択スイッチＳＷ４は、図示例ではＣ１，Ｃ２，Ｃ３の３段階の接点位置を有するスライドスイッチであり、Ｃ１〜Ｃ３にそれぞれ割り付け設定された属性情報を警察官７が選択して指定する。
【００７９】
ＵＳＢコネクタ２２ａには、ＵＳＢ２２により外部機器と接続するケーブルが接続される。これにより、ウェアラブルカメラ１０と車載システム６０又は警察署５内の署内ＰＣ７１等とを接続し、データ通信可能である。
【００８０】
図７に示すように、ウェアラブルカメラ１０の筐体１０Ａの正面から見て右側面には、通信モードスイッチＳＷ５、インジケータスイッチＳＷ６が設けられる。
【００８１】
通信モードスイッチＳＷ５は、図示例ではＡＰ、ＳＴＡ１、ＳＴＡ２、ＯＦＦの４段階の接点位置を有するスライドスイッチであり、ウェアラブルカメラ１０の通信モードをユーザが選択して指定する。
【００８２】
ＡＰは、アクセスポイントモードであり、ウェアラブルカメラ１０が無線ＬＡＮのアクセスポイントとして動作し、例えば、警察官７が所持する携帯端末（不図示）と無線接続して、ウェアラブルカメラ１０と携帯端末との間で通信を行うモードである。
【００８３】
アクセスポイントモードにおいて、携帯端末は、ウェアラブルカメラ１０と接続することにより、ウェアラブルカメラ１０による現在のライブ映像の表示、録画された映像データの再生、撮像された静止画の表示、映像データに付与された属性情報やメタ情報の表示等を行うことができる。
【００８４】
ＳＴＡ１，ＳＴＡ２は、ステーションモードであり、無線ＬＡＮを用いて外部機器と接続する場合に、外部機器をアクセスポイントとして通信を行うモードである。ＳＴＡ１は警察署５内のアクセスポイントと接続するモード、ＳＴＡ２は車載システム６０と接続するモードであり、それぞれ異なる接続先情報が設定される。
【００８５】
ステーションモードにおいて、ウェアラブルカメラ１０は、各種設定、ウェアラブルカメラ１０が保持する録画された映像データの転送（アップロード）などを車載システム６０や警察署５内の署内ＰＣ７１やサーバＳＶ１〜ＳＶ３に対して行うことができる。
【００８６】
ＯＦＦは、無線ＬＡＮの通信動作をオフし、無線ＬＡＮを未使用とするモードである。
【００８７】
インジケータスイッチＳＷ６は、図示例ではＬＥＤ、Ｖｉｂｒａｔｉｏｎ、ＬＥＤ＆Ｖｉｂｒａｔｉｏｎ、ＯＦＦの４段階の接点位置を有するスライドスイッチであり、ウェアラブルカメラ１０の報知モードを警察官７が選択して指定する。
【００８８】
ＬＥＤは、ＬＥＤ２６ａ〜２６ｃによってウェアラブルカメラ１０の録画中などの動作状態を表示するモードである。
【００８９】
Ｖｉｂｒａｔｉｏｎは、バイブレータ２７の振動によってウェアラブルカメラ１０の動作状態を報知するモードである。
【００９０】
ＬＥＤ＆Ｖｉｂｒａｔｉｏｎは、ＬＥＤ２６ａ〜２６ｃの表示とバイブレータ２７の振動とによってウェアラブルカメラ１０の動作状態を報知するモードである。
【００９１】
ＯＦＦは動作状態の報知動作をオフするモードである。
【００９２】
ＬＥＤ２６ａ〜２６ｃは、図４に示すように、ウェアラブルカメラ１０の筐体１０Ａの正面から見て上面に配置されている。これにより、警察官７がウェアラブルカメラ１０を装着した状態でＬＥＤ２６ａ〜２６ｃを容易に視認できる。尚、警察官７本人以外からはＬＥＤ２６ａ〜２６ｃが見えないようにしてもよい。
【００９３】
また、図示しないが、ウェアラブルカメラ１０の筐体１０Ａの正面から見て下面には、コンタクトターミナル２３が設けられる。
【００９４】
図８は、車載レコーダ６２の内部構成の一例を示すブロック図である。車載レコーダ６２は、ＣＰＵ１０１、無線通信部１０２、有線通信部１０３、フラッシュＲＯＭ１０４、ＲＡＭ１０５、μＣＯＮ１０６、ＧＰＳ１０７、ＧＰＩＯ１０８、ボタン１０９、ＬＥＤ１１０、及びＳＳＤ１１１を含む構成である。
【００９５】
ＣＰＵ１０１は、例えば、車載レコーダ６２の各部の動作を全体的に統括するための制御処理、他の各部との間のデータの入出力処理、データの演算（計算）処理及びデータの記憶処理を行う。
【００９６】
無線通信部１０２は、無線回線を介して外部装置と無線通信する。無線通信は、例えば、無線ＬＡＮ（Ｌｏｃａｌ  Ａｒｅａ  Ｎｅｔｗｏｒｋ）通信、近距離無線通信（ＮＦＣ）、Ｂｌｕｅｔｏｏｔｈ（登録商標）を含む。無線ＬＡＮ通信は、例えばＷｉ−ｆｉ（登録商標）のＩＥＥＥ８０２．１１ｎ規格に従って通信する。ＣＰＵ１０１と無線通信部１０２との間は、例えば、ＰＣＩ（Ｐｅｒｉｐｈｅｒａｌ  Ｃｏｍｐｏｎｅｎｔ  ＩｎｔｅｒＣｏｎｎｅｃｔ）又はＵＳＢを介して接続される。無線通信部１０２は、例えば、車載カメラ６１、車載ＰＣ６３、ウェアラブルカメラ１０、警察署５の署内ＰＣ７１やサーバＳＶ１〜ＳＶ３との間で無線通信する。
【００９７】
有線通信部１０３は、有線回線（例えば有線ＬＡＮ）を介して外部装置と有線通信する。有線通信部１０３は、例えば、車載カメラ６１、車載ＰＣ６３、ウェアラブルカメラ１０、警察署５の署内ＰＣ７１やサーバＳＶ１〜ＳＶ３との間で有線通信する。
【００９８】
フラッシュＲＯＭ１０４は、例えば、ＣＰＵ１０１を制御するためのプログラム及びデータを記憶するメモリである。また、各種設定情報が保持される。
【００９９】
ＲＡＭ１０５は、例えば、ＣＰＵ１０１の動作において使用されるワークメモリである。ＲＡＭ１０５は、例えば複数設けられる。
【０１００】
μＣＯＮ１０６は、例えば、マイクロコンピュータの一種であり、外部インタフェースに係る各部（例えば、ＧＰＳ１０７、ＧＰＩＯ１０８、ボタン１０９、ＬＥＤ１１０）と接続され、外部インタフェースに関する制御を行う。μＣＯＮ１０６は、例えばＵＡＲＴ（Ｕｎｉｖｅｒｓａｌ  Ａｓｙｎｃｈｒｏｎｏｕｓ  Ｒｅｃｅｉｖｅｒ  Ｔｒａｎｓｍｉｔｔｅｒ）を介して、ＣＰＵ１０１に接続される。
【０１０１】
ＧＰＳ１０７は、例えば、現在の車載レコーダ６２の位置情報および時刻情報をＧＰＳ発信機（不図示）から受信して、ＣＰＵ１０１に出力する。この時刻情報は、車載レコーダ６２のシステム時刻の補正のために使用される。
【０１０２】
ＧＰＩＯ１０８は、例えば、パラレルインタフェースであり、ＧＰＩＯ１０８を介して接続される外部装置（不図示）とＭＣＵ１９との間で、信号を入出力する。ＧＰＩＯ１０８には、例えば、各種センサ（例えば速度センサ、加速度センサ、扉開閉センサ）が接続される。
【０１０３】
ボタン１０９は、例えば、車載カメラ６１により撮像された映像データの録画を開始又は停止するための録画ボタン、車載カメラ６１により撮像された映像データに対して属性情報やメタ情報を付与するための付与ボタン、を含む。
【０１０４】
ＬＥＤ１１０は、例えば、車載レコーダ６２の電源投入状態（オンオフ状態）、録画の実施状態、車載レコーダ６２のＬＡＮへの接続状態、車載レコーダ６２に接続されたＬＡＮの使用状態を、点灯、消灯、点滅等により表示する。
【０１０５】
ＳＳＤ１１１は、例えば、車載カメラ６１により撮像され録画された映像データを蓄積する。ＳＳＤ１１１は、ウェアラブルカメラ１０により撮像され録画された映像データを蓄積してもよい。また、ＳＳＤ１１１は、映像データ以外のデータを蓄積してもよい。ＳＳＤ１１１は、ＳＡＴＡ（Ｓｅｒｉａｌ  ＡＴＡ）を介して、ＣＰＵ１０１に接続される。ＳＳＤ１１１は、複数設けられてもよい。尚、ＳＳＤ１１１以外のストレージ（例えばＨＤＤ）が設けられてもよい。
【０１０６】
図９は、車載ＰＣ６３の内部構成の一例を示すブロック図である。車載ＰＣ６３は、ＣＰＵ２０１と、Ｉ／Ｏ（Ｉｎｐｕｔ／Ｏｕｔｐｕｔ）制御部２０２と、通信部２０３と、メモリ２０４と、入力部２０５と、表示部２０６と、スピーカ２０７と、ＨＤＤ２０８と、を含む構成である。車載ＰＣ６３は、ウェアラブルカメラ１０、車載レコーダ６２とそれぞれ通信可能であり、バックエンドシステム１００Ｂのサーバ装置ＳＶ１〜ＳＶ３や署内ＰＣ７１とも通信可能である。
【０１０７】
ＣＰＵ２０１は、例えば、車載ＰＣ６３の各部の動作を全体的に統括するための制御処理、他の各部との間のデータのＩ／Ｏ制御部２０２を介した入出力処理、データの演算（計算）処理及びデータの記憶処理を行う。
【０１０８】
ＣＰＵ２０１は、例えば、表示部２０６に表示された車載システム６０へのログイン画面（不図示）に対する警察官７の入力操作により、警察官７の車載システム６０へのログインの可否を認証する。警察官７の入力操作は、例えば、Ｏｆｆｉｃｅｒ  ＩＤとパスワード等を入力する操作である。ログインが許可される対象となる警察官７に関する各種情報は、例えばメモリ２０４に予め保存されており、ＣＰＵ２０１は、メモリ２０４に予め保存されているログインの許可対象の情報を用いて、警察官７の車載システム６０へのログインの可否を判定する。
【０１０９】
尚、このログインは、車載ＰＣ６３を介した車載システム６０へのログインでもよいし、車載ＰＣ６３に搭載された車載システム６０を操作するアプリケーションへのログインでもよい。
【０１１０】
Ｉ／Ｏ制御部２０２は、ＣＰＵ２０１と車載ＰＣ６３の各部（例えば通信部２０３、入力部２０５、表示部２０６、スピーカ２０７）との間でデータの入出力に関する制御を行い、ＣＰＵ２０１からのデータ及びＣＰＵ２０１へのデータの中継を行う。尚、Ｉ／Ｏ制御部２０２は、ＣＰＵ２０１と一体的に構成されてもよい。
【０１１１】
通信部２０３は、例えば、車載レコーダ６２との間、警察官７が装着可能なウェアラブルカメラ１０との間、又はバックエンドシステム１００Ｂ側との間で、有線又は無線による通信を行う。
【０１１２】
通信部２０３は、警察官７が車載システム６０にログイン中である場合、メモリ２０４に保存されるログイン情報をウェアラブルカメラ１０に転送してコピーさせ、警察官７が車載システム６０にログインしていない場合、ログイン情報をウェアラブルカメラ１０に転送しない。
【０１１３】
ログイン情報は、例えば、警察官７を識別するためのＯｆｆｉｃｅｒ  ＩＤ、ウェアラブルカメラ１０を識別するためのＣａｍｅｒａ  ＩＤ、使用されるパトカー６を識別するためのＣａｒ  ＩＤを含む。
【０１１４】
メモリ２０４は、例えばＲＡＭ、ＲＯＭ、不揮発性又は揮発性の半導体メモリを用いて構成され、ＣＰＵ２０１の動作時のワークメモリとして機能し、ＣＰＵ２０１を動作させるための所定のプログラム及びデータを保存している。メモリ２０４は、例えば、車載システム６０へのログインが許可される警察官７に関するログイン情報を保存する。
【０１１５】
入力部２０５は、警察官７の入力操作を受け付け、Ｉ／Ｏ制御部２０２を介してＣＰＵ２０１に通知するためのＵＩであり、例えばマウス、キーボード等のポインティングデバイスである。入力部２０５は、例えば表示部２０６の画面に対応して配置され、警察官７の指又はスタイラスペンによって操作が可能なタッチパネル又はタッチパッドを用いて構成されても良い。
【０１１６】
入力部２０５は、例えば、車載システム６０へログインするためのログイン情報を入力する。
【０１１７】
表示部２０６は、例えばＬＣＤ（Ｌｉｑｕｉｄ  Ｃｒｙｓｔａｌ  Ｄｉｓｐｌａｙ）又は有機ＥＬ（Ｅｌｅｃｔｒｏｌｕｍｉｎｅｓｃｅｎｃｅ）を用いて構成され、各種情報を表示する。また、表示部２０６は、例えば警察官７の入力操作に応じて、ウェアラブルカメラ１０により撮像（録画）された映像データが入力された場合には、ＣＰＵ２０１の指示の下で、映像データに含まれる映像を画面に表示する。
【０１１８】
スピーカ２０７は、例えば警察官７の入力操作に応じて、ウェアラブルカメラ１０により撮像（録画）された音声を含む映像データが入力された場合には、ＣＰＵ２０１の指示の下で、映像データに含まれる音声を出力する。なお、表示部２０６及びスピーカ２０７は、車載ＰＣ６３とは別々の構成としてもよい。
【０１１９】
ＨＤＤ２０８は、例えば、各種データ、ソフトウェア（ソフトウェアプログラム）を記憶する。具体的には、ＨＤＤ２０８は、例えば、車載レコーダ６２の制御や設定を行うためのソフトウェア、ウェアラブルカメラ１０の制御や設定を行うためのソフトウェア、を保存する。また、ＨＤＤ２０８は、例えば、ウェアラブルカメラ１０から転送され、ウェアラブルカメラ１０により撮像された映像データを保存する。
【０１２０】
次に、映像データへの属性情報の付与について説明する。
【０１２１】
ウェアラブルカメラシステム１００において、ウェアラブルカメラ１０により録画し、サーバＳＶ１〜ＳＶ３へ転送して蓄積した映像データを利用する場合を想定する。同様に、車載カメラ６１により撮像し、車載レコーダ６２により録画し、サーバＳＶ１〜ＳＶ３へ転送して蓄積した映像データを利用する場合を想定する。
【０１２２】
この場合、例えば、署内ＰＣ７１は、警察署５内の警察官の操作に応じて、蓄積した映像データの中から、映像内容の種別、撮像した警察官７、日時、撮像場所など、映像データに関連する何らかの属性情報を基にして対象の映像データを抽出し、再生できる。この際に、映像データに対応付けられた属性情報が用いられる。映像データに属性情報が付与されることで、何を撮像した映像であるかの判別が容易になり、目的の映像データを抽出することが容易になる。
【０１２３】
ここでは、ウェアラブルカメラ１０は、属性情報として映像内容の種別を示す分類情報（Ｃｌａｓｓｉｆｙ）を付与し、映像データを各種別に振り分け可能にする。分類情報は、映像データの内容に関する事件カテゴリを示す。映像データに対する属性情報の付与は、タグ付け等とも称する。なお、属性情報としては分類情報に限定されず、録画した映像データに関するあらゆる情報が含まれる。また、属性情報としての分類情報は、例えば、階層構造とされ、又は、分類を異なる複数の系統によってカテゴリ分けされてもよい。
【０１２４】
また、上記と同様に、車載レコーダ６２は、属性情報として映像内容の種別を示す分類情報（Ｃｌａｓｓｉｆｙ）を付与し、映像データを各種別に振り分け可能にする。
【０１２５】
図１０は、属性選択スイッチＳＷ４における属性情報の設定の一例を示す模式図である。
【０１２６】
ウェアラブルカメラ１０を使用する場合、図１０に示すように、属性選択スイッチＳＷ４の状態（接点位置）Ｃ１〜Ｃ３にそれぞれ対応して、属性情報を割り付けて設定しておく。図示例は、警察官７が現場８（例えば事件現場）の様子を撮像する場合を想定し、Ｃ１に飲酒運転（Ｄｒｉｖｉｎｇ  Ｕｎｄｅｒ  ｔｈｅ  Ｉｎｆｌｕｅｎｃｅ）、Ｃ２に薬物乱用（Ｄｒｕｇ  Ａｂｕｓｅ  Ｖｉｏｌａｔｉｏｎｓ）、Ｃ３に窃盗（Ｓｔｏｌｅｎ  Ｐｒｏｐｏｅｒｔｙ）をそれぞれ割り付けたものである。
【０１２７】
属性情報の割り付けでは、例えば、ウェアラブルカメラ１０のＭＣＵ１９が、複数定義された属性情報の中から、警察官７にとって使用頻度の高い属性情報を選択して設定する。属性情報の設定内容は、例えば、ウェアラブルカメラ１０のＥＥＰＲＯＭ１６に設定情報の一つとして記憶される。
【０１２８】
尚、車載レコーダ６２は、例えば、通信部２０３が、車載ＰＣ６３の入力部２０５により入力された属性情報を取得し、ＣＰＵ１０１が、車載カメラ６１により撮像された映像データに対して、取得された属性情報を付与する。車載レコーダ６２による属性情報の付与では、属性選択スイッチＳＷ４のように接点数が決まっていないので、より多種類の属性情報を付与することが可能である。
【０１２９】
図１１は、録画データのデータ構造の一例を示す模式図である。録画データは、録画された映像データと、この映像データに対応するメタ情報とを含む。メタ情報については後述するが、メタ情報は属性情報を含む。ウェアラブルカメラ１０により撮像され録画された録画データと、車載カメラ６１により撮像され、車載レコーダ６２により録画された録画データとは、同様の形式である。
【０１３０】
次に、録画映像リストのデータ構造について説明する。ウェアラブルカメラ１０により撮像された映像データに係る録画映像リストは、ウェアラブルカメラ１０の記憶部１５に保持される。車載カメラ６１により撮像された映像データに係る録画映像リストは、車載レコーダ６２のＳＳＤ１１１に保持される。
【０１３１】
図１２は、ウェアラブルカメラ１０が保持する録画映像リストのデータ構造の一例を示す模式図である。
【０１３２】
ウェアラブルカメラ１０は、録画中又は録画後に、属性情報付与スイッチＳＷ３の操作入力を検出すると、録画対象の映像データに関連する属性情報を生成し、属性情報を含むメタ情報を記憶部１５に記憶する。即ち、記憶部１５に記憶される録画データには、映像データとメタ情報とが含まれる。ウェアラブルカメラ１０は、サーバＳＶ１〜ＳＶ３に映像データを転送する場合、映像データとメタ情報とを含む録画データを転送して蓄積する。尚、映像データとメタ情報とが別々に転送されてもよい。
【０１３３】
映像データに関連するメタ情報は、例えば、図１２に示すような録画映像リストの形で記憶される。録画映像リストのメタ情報は、映像位置情報（映像時刻情報）、Ｃａｒ  ＩＤ、Ｏｆｆｉｃｅｒ  ＩＤ、属性情報（事件カテゴリ）、録画開始要因、その他、の情報を含む。
【０１３４】
映像データとメタ情報とは、映像データＩＤによって紐付けされる。映像データＩＤは、録画された映像データを識別するための識別情報である。映像データＩＤは、例えば、録画開始時、録画中、又は録画終了時に映像データに対して付与される。映像データＩＤは、例えば、映像データの録画開始時刻、ファイル名、その他のＩＤを含む。
【０１３５】
映像位置情報は、メタ情報が映像データに対して付与された時刻情報であり、つまり、属性情報付与スイッチＳＷ３の操作入力が検出された時刻（属性情報付与時ともいう）の情報である。
【０１３６】
Ｃａｒ  ＩＤは、個々のパトカー６を識別するための識別情報である。Ｏｆｆｉｃｅｒ  ＩＤは、ウェアラブルカメラ１０を使用する警察官７の識別情報である。Ｃａｒ  ＩＤとＯｆｆｉｃｅｒ  ＩＤとが設定されることで、どのパトカー６を使用するどの警察官７が、ウェアラブルカメラ１０を用いて映像データを録画したかを判別できる。
【０１３７】
事件カテゴリは、映像データの種別を識別するための分類情報であり、図１０に示した属性情報の設定内容に基づき、属性選択スイッチＳＷ４に従って付与される。
【０１３８】
録画開始要因は、映像データの録画が開始された要因を示す。録画開始要因は、例えば、録画スイッチＳＷ１又はスナップショットスイッチＳＷ２の押下検出、ウェアラブルカメラ１０が備えるセンサ（図示せず、例えば加速度センサ）、ＲＴＣ１７、又はＧＰＳ１８の情報に基づく録画開始トリガの検出、車載システム連動、を含む。
【０１３９】
車載システム連動は、車載システム６０とウェアラブルカメラ１０とが連携し、車載レコーダ６２からの録画開始指示に応じて、ウェアラブルカメラ１０が録画開始したことを示す。
【０１４０】
その他の情報は、例えば、ＧＰＳ情報を含む。ＧＰＳ情報は、映像データの録画が行われた場所を示す位置情報であり、例えば属性情報付与時の現在位置情報をＧＰＳ１８から取得して付与する。
【０１４１】
上記のウェアラブルカメラ１０が付与するメタ情報は、例えば、ＭＣＵ１９の処理によって付与され、ウェアラブルカメラ１０により撮像された映像データと関連付けて記憶部１５に記憶される。
【０１４２】
尚、図１２では図示していないが、１つの映像データ、つまり１つの映像データＩＤに対して、１つ以上のメタ情報が付与されてもよい。例えば、警察官７が飲酒運転の取り締まり中に、薬物乱用の場面に遭遇した場合、映像データの録画を継続したまま属性情報付与スイッチＳＷ３を２回、操作入力することで、ウェアラブルカメラ１０は、１つの映像データに対してメタ情報を２つ付与できる。
【０１４３】
図１３は、車載レコーダ６２が保持する録画映像リストのデータ構造の一例を示す模式図である。
【０１４４】
車載レコーダ６２が保持する録画映像リストについても、映像データに対する属性情報を含むメタ情報を含む。メタ情報の内容は、図１２に示したメタ情報の内容と同様である。
【０１４５】
ただし、車載レコーダ６２は、ウェアラブルカメラ１０が付与する属性情報よりも多種類の属性情報（事件カテゴリ）を付与可能である。また、車載レコーダ６２は、録画開始要因の情報として、属性情報の付与ボタンの押下検出、車載システム６０が備えるセンサ（図示せず、例えば、速度センサ、加速度センサ、扉開閉センサ）、ＲＴＣ１７、又はＧＰＳ１０７の情報に基づく録画開始トリガの検出、ＷＣＡＭ連動、を含む。
【０１４６】
ＷＣＡＭ連動は、車載システム６０とウェアラブルカメラ１０とが連携し、ウェアラブルカメラ１０からの録画開始指示に応じて、車載レコーダ６２の指示により車載カメラ６１が録画開始したことを示す。
【０１４７】
上記の車載レコーダ６２が付与するメタ情報は、例えば、ＣＰＵ１０１の処理によって付与され、車載カメラ６１により撮像された映像データと関連付けてＳＳＤ１１１に記憶される。
【０１４８】
次に、ウェアラブルカメラシステム１００の動作例について説明する。
【０１４９】
図１４は、ウェアラブルカメラ１０が車載システム連動により録画開始する場合のウェアラブルカメラシステム１００の動作例を示すシーケンス図である。
【０１５０】
尚、図１４では、車載レコーダ６２とウェアラブルカメラ１０とが無線ＬＡＮにより無線接続されることを例示するが、他の方法により無線接続されてもよいし、有線接続されてもよい。
【０１５１】
まず、車載レコーダ６２とウェアラブルカメラ１０とが相互に通信相手を検出し、車載レコーダ６２とウェアラブルカメラ１０との間で通信リンクを確立する（Ｓ１）。具体的には、車載レコーダ６２のＣＰＵ１０１とウェアラブルカメラ１０のＭＣＵ１９とが、例えば無線ＬＡＮのＳＳＩＤ及びパスワードを用いてペアリング処理を行うことで、通信相手を検出する。
【０１５２】
また、車載レコーダ６２の無線通信部１０２とウェアラブルカメラ１０の通信部２１とが、例えば、相互に、保持しているＣａｒ  ＩＤ及びＯｆｆｉｃｅｒ  ＩＤを交換し、自装置と通信相手の装置が保持するＣａｒ  ＩＤ及びＯｆｆｉｃｅｒ  ＩＤが一致した場合に、通信リンクを確立する。
【０１５３】
尚、車載レコーダ６２の無線通信部１０２とウェアラブルカメラ１０の通信部２１とは、Ｃａｍｅｒａ  ＩＤ及びＯｆｆｉｃｅｒ  ＩＤの一致を確認せずに、通信相手が検出されたことで通信リンクを確立してもよい。例えば、警察官７が車載ＰＣ６３にログインしていない場合、車載レコーダ６２にＣａｍｅｒａ  ＩＤ及びＯｆｆｉｃｅｒ  ＩＤが操作入力されないので、車載レコーダ６２にＣａｍｒａ  ＩＤ及びＯｆｆｉｃｅｒ  ＩＤが保持されない。
【０１５４】
この場合でも、車載システム６０とウェアラブルカメラ１０との間で通信リンクを確立できる。例えば、出動時の警察官７とパトカーとの組み合わせが毎回異なり、定まっていない場合でも、車載レコーダ６２とウェアラブルカメラ１０とを無線ＬＡＮ等を用いて簡単に接続できる。
【０１５５】
車載レコーダ６２では、ＣＰＵ１０１が、録画開始トリガを検出すると、車載カメラ６１により撮像された映像データの録画を開始し、ＳＳＤ１１１への映像データの記憶を開始させる（Ｓ２）。
【０１５６】
車載レコーダ６２の録画開始トリガは、例えば、ボタン１０９の押下検出、ＣＰＵ１０１によるパトカー６のパトランプの点灯鳴動開始の検出、速度センサによるパトカー６の走行速度が所定速度（例えば１００ｋｍ／ｈ）以上であることの検出、加速度センサによる衝撃の検出（つまり所定閾値以上の加速度の変化の検出）、無線通信部１０２によるウェアラブルカメラ１０との通信が不能な通信圏外であることの検出、を含む。
【０１５７】
無線通信部１０２は、ＣＰＵ１０１により映像データの録画を開始した際、録画を開始した旨を含む録画開始メッセージ（例えば「ＲＥＣ  ＳＴＡＲＴ」のメッセージ）を、通信相手としてのウェアラブルカメラ１０へ通知する（Ｓ３）。
【０１５８】
ウェアラブルカメラ１０では、通信部２１は、車載レコーダ６２から録画開始メッセージを受信すると、ＭＣＵ１９は、撮像部１１により撮像された映像データの録画を開始し、記憶部１５への映像データの記憶を開始させる（Ｓ４）。
【０１５９】
このように、車載レコーダ６２の録画開始と連携してウェアラブルカメラ１０の録画を開始することで、例えば、警察官７が緊急対応のためにウェアラブルカメラ１０の録画スイッチＳＷ１又はスナップショットスイッチＳＷ２による録画開始操作を失念した場合でも、現場８の映像データを記録し、後のタイミングにおいて確認できる。
【０１６０】
尚、車載レコーダ６２は、録画開始トリガが検出された際に、例えば、車載レコーダ６２とウェアラブルカメラ１０との距離が長く、無線ＬＡＮによる通信圏外である場合、録画開始メッセージを無線接続の復帰後に送信してもよい。
【０１６１】
また、ウェアラブルカメラ１０は、録画開始メッセージを受信した後に直ぐに録画開始しなくてもよい。例えば、ウェアラブルカメラ１０は、パトカー６の走行中に録画開始メッセージを受信した時点では録画開始せず、パトカー６を離れて車載レコーダ６２との無線接続が切断されたことを検出した際に、録画開始してもよい。これにより、録画された映像データを蓄積する記憶部１５のリソースを効率良く使用できる。
【０１６２】
車載レコーダ６２及びウェアラブルカメラ１０による録画開始後に、車載レコーダ６２において、ＣＰＵ１０１は、録画停止トリガを検出すると、車載カメラ６１により撮像された映像データの録画を停止し、ＳＳＤ１１１への映像データの記憶を停止させる（Ｓ５）。
【０１６３】
車載レコーダ６２の録画停止トリガは、例えば、録画中においてＣＰＵ１０１によるボタン１０９の押下検出、車載レコーダ６２による録画開始から所定時間が経過したことを検出、を含む。
【０１６４】
車載レコーダ６２の無線通信部１０２は、ＣＰＵ１０１により映像データの録画を停止した際、録画を停止した旨を含む録画停止メッセージ（例えば「ＲＥＣ  ＳＴＯＰ」のメッセージ）を、通信相手としてのウェアラブルカメラ１０へ通知する（Ｓ６）。
【０１６５】
ウェアラブルカメラ１０では、通信部２１は、車載レコーダ６２から録画停止メッセージを受信すると、ＭＣＵ１９は、撮像部１１により撮像された映像データの録画を停止し、記憶部１５への映像データの記憶を停止させる（Ｓ７）。
【０１６６】
このように、車載レコーダ６２の録画停止と連携してウェアラブルカメラ１０の録画を停止することで、例えば、警察官７が緊急対応のためにウェアラブルカメラ１０の録画スイッチＳＷ１による録画停止操作を失念した場合でも、現場８の映像データの記録を停止できる。従って、映像データの記録停止を失念することによる不要な電力消費やメモリ消費を低減できる。
【０１６７】
尚、図１４では、Ｓ５，Ｓ６で車載レコーダ６２が録画を停止して録画停止メッセージを送信し、Ｓ７でウェアラブルカメラ１０が録画停止メッセージを受信して録画を停止することを例示した。この代わりに、Ｓ５，Ｓ６でウェアラブルカメラ１０が録画を停止して録画停止メッセージを送信し、Ｓ７で車載レコーダ６２が録画停止メッセージを受信して録画を停止してもよい。
【０１６８】
尚、Ｓ５〜Ｓ７の処理は省略されてもよい。つまり、車載レコーダ６２とウェアラブルカメラ１０との録画停止連携がされなくてもよい。
【０１６９】
尚、車載レコーダ６２は、録画停止トリガが検出された際に、例えば、車載レコーダ６２とウェアラブルカメラ１０との距離が長く、無線ＬＡＮによる通信圏外である場合、録画停止メッセージを無線接続の復帰後に送信してもよい。
【０１７０】
また、録画開始メッセージを受けて録画開始するウェアラブルカメラ１０が複数あってもよい。同様に、録画停止メッセージを受けて録画停止するウェアラブルカメラ１０が複数あってもよい。例えば、パトカー６に乗車している警察官７が複数であることも想定される。
【０１７１】
図１５は、車載レコーダ６２がＷＣＡＭ連動により録画開始する場合のウェアラブルカメラシステム１００の動作例を示すシーケンス図である。尚、図１５の動作例において、図１４の動作例と同様の処理については、同一のステップ番号を付し、説明を省略又は簡略化する。
【０１７２】
ウェアラブルカメラ１０では、ＭＣＵ１９が、録画開始トリガを検出すると、撮像部１１により撮像された映像データの録画を開始し、記憶部１５への映像データの記憶を開始させる（Ｓ２Ａ）。
【０１７３】
ウェアラブルカメラ１０の録画開始トリガは、例えば、ＭＣＵ１９による録画スイッチＳＷ１又はスナップショットスイッチＳＷ２の押下検出、ＭＣＵ１９による車載レコーダ６２とウェアラブルカメラ１０との無線接続が切断されたことの検出、加速度センサによる衝撃の検出（つまり所定閾値以上の加速度の変化の検出）、ＧＰＳ１８による警察官７が所定のエリアに所在することの検出、ＧＰＳ１８による警察官７が走り出したことの検出、を含む。この加速度センサによる衝撃の検出は、例えば、警察官７が走り出したこと、転倒したことの検出を含む。
【０１７４】
通信部２１は、ＭＣＵ１９により映像データの録画を開始した際、録画を開始した旨を含む録画開始メッセージ（例えば「ＲＥＣ  ＳＴＡＲＴ」のメッセージ）を、通信相手としての車載レコーダ６２へ通知する（Ｓ３Ａ）。
【０１７５】
車載レコーダ６２では、無線通信部１０２は、ウェアラブルカメラ１０から録画開始メッセージを受信すると、ＣＰＵ１０１は、車載カメラ６１により撮像された映像データの録画を開始し、ＳＳＤ１１１への映像データの記憶を開始させる（Ｓ４Ａ）。
【０１７６】
このように、ウェアラブルカメラ１０の録画開始と連携して車載レコーダ６２の録画を開始することで、例えば、現場８への到着後に事件が発生し、パトカー６内の車載カメラ６１による録画が開始されていなかった場合でも、車載カメラ６１により現場８の映像データを記録し、後のタイミングにおいて確認できる。
【０１７７】
ウェアラブルカメラ１０及び車載レコーダ６２による録画開始後に、ウェアラブルカメラ１０において、ＭＣＵ１９は、録画停止トリガを検出すると、撮像部１１により撮像された映像データの録画を停止し、記憶部１５への映像データの記憶を停止させる（Ｓ５Ａ）。
【０１７８】
ウェアラブルカメラ１０の録画停止トリガは、例えば、録画中においてＭＣＵ１９による録画スイッチＳＷ１の操作検出、ウェアラブルカメラ１０による録画開始から所定時間が経過したことを検出、を含む。
【０１７９】
通信部２１は、ＭＣＵ１９により映像データの録画を停止した際、録画を停止した旨を含む録画停止メッセージ（例えば「ＲＥＣ  ＳＴＯＰ」のメッセージ）を、通信相手としての車載レコーダ６２へ通知する（Ｓ６Ａ）。
【０１８０】
車載レコーダ６２では、無線通信部１０２は、ウェアラブルカメラ１０から録画停止メッセージを受信すると、ＣＰＵ１０１は、車載カメラ６１により撮像された映像データの録画を停止し、ＳＳＤ１１１への映像データの記憶を停止させる（Ｓ７Ａ）。
【０１８１】
このように、ウェアラブルカメラ１０の録画停止と連携して車載レコーダ６２の録画を停止することで、例えば、録画停止のためにボタン１０９の押下操作を失念した場合でも、車載カメラ６１により撮像された映像データの記録を停止できる。従って、映像データの記録停止を失念することによる不要な電力消費やメモリ消費を低減できる。
【０１８２】
尚、図１５では、Ｓ５Ａ，Ｓ６Ａでウェアラブルカメラ１０が録画を停止して録画停止メッセージを送信し、Ｓ７Ａで車載レコーダ６２が録画停止メッセージを受信して録画を停止することを例示した。この代わりに、Ｓ５Ａ，Ｓ６Ａで車載レコーダ６２が録画を停止して録画停止メッセージを送信し、Ｓ７Ａでウェアラブルカメラ１０が録画停止メッセージを受信して録画を停止してもよい。
【０１８３】
尚、Ｓ５Ａ〜Ｓ７Ａの処理は省略されてもよい。つまり、ウェアラブルカメラ１０と車載レコーダ６２との録画停止連携がされなくてもよい。
【０１８４】
図１６は、本実施形態のウェアラブルカメラ１０による属性情報付与動作に関する手順の一例を示すフローチャートである。
【０１８５】
ウェアラブルカメラ１０のＭＣＵ１９は、属性情報の付与に先立って、初期設定を実行する（Ｓ１１）。ウェアラブルカメラ１０の初期設定は、例えば、警察官７が出動する際に、警察署５内の署内ＰＣ７１に接続し、署内ＰＣ７１を操作して設定情報を転送することによって行う。
【０１８６】
初期設定は、例えば、Ｃａｍｅｒａ  ＩＤ及びＯｆｆｉｃｅｒ  ＩＤの付与、属性情報付与スイッチＳＷ３と属性選択スイッチＳＷ４の有効化、属性選択スイッチＳＷ４への複数の属性情報の割り付け（例えば図１０参照）、を含む。
【０１８７】
ＭＣＵ１９は、車載レコーダ６２からの録画開始メッセージを受信すると、録画動作を開始し、撮像部１１により撮像された映像データを記憶部１５に記憶させる（Ｓ１２）。ここでの映像データは、動画でも静止画でもよい。
【０１８８】
ＭＣＵ１９は、車載レコーダ６２からの録画開始メッセージに応じて録画動作を開始すると、例えばＲＡＭ１３に、メタ情報に含まれる録画開始要因の情報として車載システム連携の情報を保存する（Ｓ１３）。
【０１８９】
映像データの録画開始後、ＭＣＵ１９は、属性選択スイッチＳＷ４の選択状態を入力する（Ｓ１４）。
【０１９０】
ＭＣＵ１９は、録画が継続されているか否かを判定する（Ｓ１５）。例えば、通信部２１により録画停止メッセージが取得されていない場合、録画は継続されている。録画が継続されていない場合、ＭＣＵ１９は、属性情報付与動作を終了する。
【０１９１】
録画が継続されている場合、ＭＣＵ１９は、属性情報付与スイッチＳＷ３の入力の有無を判定する（Ｓ１６）。つまり、映像データの録画中又は録画後において、警察官７の操作に応じて属性情報の付与が行われる。尚、属性選択スイッチＳＷの選択状態は、１度の映像データの録画中において変更されてもよい。つまり、１つの映像データに対して複数の属性情報が選択されて付与されてもよい。
【０１９２】
属性情報付与スイッチＳＷ３からの入力があった場合、ＭＣＵ１９は、属性選択スイッチＳＷ４の状態に対応する属性情報をＥＥＰＲＯＭ１６から読み込み、属性情報を映像データに対して付与する（Ｓ１７）。属性情報付与スイッチＳＷ３からの入力がなかった場合、Ｓ１３に進む。
【０１９３】
ＭＣＵ１９は、付与された属性情報を含むメタ情報を、録画中の又は直前に録画された映像データと関連付けて、記憶部１５に記憶させる（Ｓ１８）。ここでのメタ情報は、例えば、図１２の録画映像リストに示したように、映像位置情報、Ｃａｍｅｒａ  ＩＤ，Ｏｆｆｉｃｅｒ  ＩＤ、属性情報（事件カテゴリ）、録画開始要因を含む。
【０１９４】
映像位置情報は、例えば、属性情報付与スイッチＳＷ３の入力時にＲＴＣ１７から現在時刻として取得される。Ｃａｍｅｒａ  ＩＤ、Ｏｆｆｉｃｅｒ  ＩＤは、例えば、ＥＥＰＲＯＭ１６から取得される。録画開始要因は、例えばＳ１３において保存されたＲＡＭ１３から取得される。Ｓ１８の処理後、Ｓ１５に進む。
【０１９５】
尚、ウェアラブルカメラ１０では、ＭＣＵ１９は、ＬＥＤ２６ａ〜２６ｃの少なくとも一部を、保存された録画開始要因に応じて点灯させてもよい。例えば、録画開始要因に応じて、点灯時間を変更し、点滅方法を変更し、又は点灯される色を変更してもよい。
【０１９６】
これにより、ウェアラブルカメラ１０を所持する警察官７は、ＬＥＤ２６ａ〜２６ｄを確認することで、自主的な操作を行わずに録画が開始されたこと、及び録画開始要因を容易に認識できる。
【０１９７】
このように、ウェアラブルカメラ１０の属性情報付与動作によれば、録画した直後、又は録画している間に属性情報を容易に付与でき、録画された映像データに対してメタ情報を保存できる。従って、例えば、警察官７がウェアラブルカメラ１０により撮像した現場８から離れて、後で警察署５内の署内ＰＣ７１などで属性情報を付与し、メタ情報を編集する必要がない。つまり、警察官７が映像データを再生しながら種別を判断し、属性情報やメタ情報の入力作業を行う必要がなく、属性情報やメタ情報を入力するための時間及び手間を削減できる。また、属性情報やメタ情報が未入力の映像データが溜まることを抑制でき、個々の映像データの確認に要する手間を省略でき、映像データの種別の判断及び属性情報やメタ情報の入力にかかる労力を低減できる。
【０１９８】
更に、ウェアラブルカメラ１０は、メタ情報に含まれる録画開始要因の情報を保持することで、例えば、署内ＰＣ７１、車載ＰＣ６３、又は携帯端末（不図示）により、車載システム６０と連動してウェアラブルカメラ１０が録画開始したことを録画後に確認できる。
【０１９９】
このように、本実施形態では、ウェアラブルカメラ１０と車載レコーダ６２とが連携して録画開始するので、ウェアラブルカメラ１０及び車載レコーダ６２のいずれか一方において録画開始がされなかった場合でも、ウェアラブルカメラ１０及び車載レコーダ６２のいずれか他方からの録画開始メッセージに応じて、録画開始できる。
【０２００】
従って、例えば警察官７が緊急対応のため急いでおり、ウェアラブルカメラ１０の録画スイッチＳＷ１の操作入力を失念した場合又は入力できない状態であった場合でも、車載レコーダ６２において録画開始トリガが発生した場合にはウェアラブルカメラ１０での録画も開始できる。
【０２０１】
このように、ウェアラブルカメラシステム１００によれば、ウェアラブルカメラ１０により撮像された映像データを取扱う際の利便性を向上でき。更に、映像データに特定の期間の抜けが発生することを抑制でき、現場８の監視性能や映像データの証拠性能を向上できる。
【０２０２】
以上のように、本実施形態のウェアラブルカメラシステム１００は、ユーザが装着可能なウェアラブルカメラ１０と、ユーザが乗車する車両に搭載された車載レコーダ６２と、車両に搭載された車載カメラ６１と、を備える。車載カメラ６１は、映像を撮像する第１の撮像部を備える。車載レコーダ６２は、通信相手としてのウェアラブルカメラ１０との間で通信する第１の通信部と、車載カメラ６１により撮像された第１の映像データを録画する第１の録画部と、を備える。ウェアラブルカメラ１０は、映像を撮像する第２の撮像部と、通信相手としての車載レコーダ６２との間で通信する第２の通信部と、第２の撮像部により撮像された第２の映像データを録画する第２の録画部と、を備える。車載レコーダ６２及びウェアラブルカメラ１０のいずれか一方は、車載レコーダ６２及びウェアラブルカメラ１０のいずれか一方による録画を開始した際、録画を開始した旨を含む録画開始情報を、車載レコーダ６２及びウェアラブルカメラ１０のいずれか他方へ送信する。車載レコーダ６２及びウェアラブルカメラ１０のいずれか他方は、録画開始情報を受信した後に録画を開始する。
【０２０３】
第１の通信部は、例えば無線通信部１０２又は有線通信部１０３である。第１の録画部は、例えばＣＰＵ１０１である。第２の撮像部は、例えば撮像部１１である。第１の録画部は、例えばＭＣＵ１９である。ユーザは、例えば警察官７である。車両は、例えばパトカー６である。録画開始情報は、例えば録画開始メッセージである。
【０２０４】
これにより、ウェアラブルカメラ１０と車載レコーダ６２とが連携して録画開始するので、ウェアラブルカメラ１０及び車載レコーダ６２のいずれか一方がいずれか他方の動作を補助し、両装置での映像データの記録の確実性を向上できる。従って、ウェアラブルカメラシステム１００は、ウェアラブルカメラ１０により撮像された映像データを取扱う際の利便性を向上でき、映像データの録画漏れを低減できる。従って、例えばウェアラブルカメラシステム１００による監視性能や映像データの証拠性能を向上できる。
【０２０５】
また、ウェアラブルカメラシステム１００は、車載レコーダ６２及びウェアラブルカメラ１０のいずれか一方が、車載レコーダ６２及びウェアラブルカメラ１０のいずれか一方による録画を停止した際、録画を停止した旨を含む録画停止情報を、車載レコーダ６２及びウェアラブルカメラ１０のいずれか他方へ送信してもよい。車載レコーダ６２及びウェアラブルカメラ１０のいずれか他方が、録画停止情報を受信した後に録画を停止してもよい。録画停止情報は、例えば録画停止メッセージである。
【０２０６】
これにより、ウェアラブルカメラ１０と車載レコーダ６２とが連携して録画停止するので、ウェアラブルカメラ１０及び車載レコーダ６２のいずれか一方がいずれか他方の動作を補助し、両装置での映像データの記録停止の確実性を向上できる。よって、ウェアラブルカメラシステム１００は、映像データの録画漏れを抑制しつつ、映像データの記録に必要な記録容量を削減できる。
【０２０７】
また、ウェアラブルカメラシステム１００は、ウェアラブルカメラ１０が、操作部と、記憶部１５と、制御部と、を備えてもよい。操作部は、第２の映像データに関連する情報の付与操作を受け付ける。記憶部１５は、付与操作が受け付けられた場合、第２の映像データに対応付けて、第２の映像データの録画開始の要因を示す要因情報を記憶する。制御部は、録画開始情報に基づいて第２の映像データの録画を開始した場合、車載レコーダ６２と連動して録画を開始した旨を示す連動情報を要因情報に格納する。
【０２０８】
操作部は、例えば属性情報付与スイッチＳＷ３である。制御部は、例えばＭＣＵ１９である。要因情報は、例えば録画開始要因の情報である。連動情報は、例えば車載システム連動の情報である。
【０２０９】
これにより、警察官７等のユーザは、映像データに関連する情報（メタ情報等）を確認でき、連動情報を参照することで、映像データの録画後において容易に映像データを録画した要因を確認できる。従って、映像データの管理を容易化でき、録画後の映像データの内容を簡単に識別できる。
【０２１０】
また、本実施形態の録画制御方法は、ユーザが装着可能なウェアラブルカメラ１０と、ユーザが乗車する車両に搭載された車載レコーダ６２と、車両に搭載された車載カメラ６１と、を備えるウェアラブルカメラシステム１００における録画制御方法である。録画制御方法は、車載カメラ６１により映像を撮像し、ウェアラブルカメラ１０により映像を撮像する撮像ステップと、車載カメラ６１により撮像された第１の映像データを車載レコーダ６２により録画し、ウェアラブルカメラ１０により撮像された第２の映像データをウェアラブルカメラ１０により録画する録画ステップと、車載レコーダ６２とウェアラブルカメラ１０との間で通信する通信ステップと、を有する。録画ステップでは、車載レコーダ６２及びウェアラブルカメラ１０のいずれか一方により、録画を開始する。通信ステップでは、車載レコーダ６２及びウェアラブルカメラ１０のいずれか一方により、録画を開始した際、録画を開始した旨を含む録画開始情報を、車載レコーダ６２及びウェアラブルカメラ１０のいずれか他方へ送信する。録画ステップでは、車載レコーダ６２及びウェアラブルカメラ１０のいずれか他方により、録画開始情報を受信した後に録画を開始する。
【０２１１】
これにより、ウェアラブルカメラ１０と車載レコーダ６２とが連携して録画開始するので、ウェアラブルカメラ１０及び車載レコーダ６２のいずれか一方がいずれか他方の動作を補助し、両装置での映像データの記録の確実性を向上できる。従って、ウェアラブルカメラシステム１００は、ウェアラブルカメラ１０により撮像された映像データを取扱う際の利便性を向上でき、映像データの録画漏れを低減できる。従って、例えばウェアラブルカメラシステム１００による監視性能や映像データの証拠性能を向上できる。
【０２１２】
以上、図面を参照しながら各種の実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。また、本発明の趣旨を逸脱しない範囲において、上記実施形態における各構成要素を任意に組み合わせてもよい。
【産業上の利用可能性】
【０２１３】
本発明は、ウェアラブルカメラや車載カメラにより撮像した映像データを取扱う上での利便性を向上でき、映像データの録画漏れを低減できるウェアラブルカメラシステム及び録画制御方法等として有用である。
【符号の説明】
【０２１４】
１００  ウェアラブルカメラシステム
１００Ａ  フロントエンドシステム
１００Ｂ  バックエンドシステム
５  警察署
６  パトカー
７  警察官
８  現場
１０  ウェアラブルカメラ
１０Ａ  ウェアラブルカメラの筐体
１１  撮像部
１２  ＧＰＩＯ
１３  ＲＡＭ
１４  ＲＯＭ
１５  記憶部
１６  ＥＥＰＲＯＭ
１７  ＲＴＣ
１８  ＧＰＳ
１９  ＭＣＵ
２１  通信部
２２  ＵＳＢ
２２ａ  ＵＳＢコネクタ
２３  コンタクトターミナル
２４  電源部
２５  バッテリ
２６ａ，２６ｂ，２６ｃ  ＬＥＤ
２７  バイブレータ
６０  車載システム
６１  車載カメラ
６２  車載レコーダ
６３  車載ＰＣ
７０  管理ソフトウェア
７１  署内ＰＣ
１０１  ＣＰＵ
１０２  無線通信部
１０３  有線通信部
１０４  フラッシュＲＯＭ
１０５  ＲＡＭ
１０６  μＣＯＮ
１０７  ＧＰＳ
１０８  ＧＰＩＯ
１０９  ボタン
１１０  ＬＥＤ
１１１  ＳＳＤ
１１２  ＲＳ−２３２Ｃ接続部
２０１  ＣＰＵ
２０２  Ｉ／Ｏ制御部
２０３  通信部
２０４  メモリ
２０５  入力部
２０６  表示部
２０７  スピーカ
２０８  ＨＤＤ
ＳＶ１，ＳＶ２，ＳＶ３  サーバ
ＳＷ１  録画スイッチ
ＳＷ２  スナップショットスイッチ
ＳＷ３  属性情報付与スイッチ
ＳＷ４  属性選択スイッチ
ＳＷ５  通信モードスイッチ
ＳＷ６  インジケータスイッチ
【要約】
【課題】ウェアラブルカメラや車載カメラにより撮像した映像データを取扱う上での利便性を向上でき、映像データの録画漏れを低減できるウェアラブルカメラシステムを提供する。
【解決手段】ウェアラブルカメラシステムは、ユーザが装着可能なウェアラブルカメラと、ユーザが乗車する車両に搭載された車載レコーダと、車両に搭載された車載カメラと、を備える。車載レコーダは、車載カメラにより撮像された映像データを録画する。ウェアラブルカメラは、ウェアラブルカメラにより撮像された映像データを録画する。車載レコーダ及びウェアラブルカメラのいずれか一方は、車載レコーダ及びウェアラブルカメラのいずれか一方による録画を開始した際、録画を開始した旨を含む録画開始情報を、車載レコーダ及びウェアラブルカメラのいずれか他方へ送信し、車載レコーダ及びウェアラブルカメラのいずれか他方は、録画開始情報を受信した後に録画を開始する。
【選択図】図１４【図１】
0005856700.tif 000002
【図２】
0005856700.tif 000003
【図３】
0005856700.tif 000004
【図４】
0005856700.tif 000005
【図５】
0005856700.tif 000006
【図６】
0005856700.tif 000007
【図７】
0005856700.tif 000008
【図８】
0005856700.tif 000009
【図９】
0005856700.tif 000010
【図１０】
0005856700.tif 000011
【図１１】
0005856700.tif 000012
【図１２】
0005856700.tif 000013
【図１３】
0005856700.tif 000014
【図１４】
0005856700.tif 000015
【図１５】
0005856700.tif 000016
【図１６】
0005856700.tif 000017